(57)【要約】【課題】従来に比較してカバーの加工や組立を簡素化する。【解決手段】照明器具は、ランプソケット２を具備する器具本体１と、木材によって形成されるカバー１０とを備える。カバー１０の内側表面には長手方向を鉛直方向とした複数条の溝１１が形成され、外側表面には長手方向を水平方向とした複数条の溝１２が形成され、内側表面の溝１１と外側表面の溝１２が互いに交差する位置に各溝１１，１２を通してカバー１０を内外に貫通する矩形の貫通孔１３がそれぞれ形成されている。カバー１０に設けられた多数の貫通孔１３からランプの光が外部へ照射され、従来にない美観を起こさせることができる。しかも、この貫通孔１３はカバー１０の内側及び外側の表面に互いに平行でない複数条の溝１１，１２を形成することで設けることができるから、桟７５を組み合わせていた従来例に比較してカバー１０の加工や組立を簡素化することができる。【選択図】　　　　図１
2004022316.tif 000002
【特許請求の範囲】
【請求項１】
ランプを着脱自在に装着するランプソケットを具備する器具本体と、木材によって形成され少なくともランプソケットに装着されたランプの周囲を囲むように器具本体に取り付けられるカバーとを備え、ランプと対向するカバーの内側表面に互いの長手方向を同一とした複数条の溝が形成され、カバーの外側表面に互いの長手方向を同一とし且つ内側表面の溝と平行でない複数条の溝が形成されるとともに、内側表面の溝と外側表面の溝が互いに交差する位置にカバーを内外に貫通する貫通孔が設けられたことを特徴とする照明器具。
【請求項２】
カバーの貫通孔と連通する孔が設けられてランプとカバーの内側表面との間に介装される金属製の遮熱板を備えたことを特徴とする請求項１記載の照明器具。
【発明の詳細な説明】
【０００１】
【発明の属する技術分野】
本発明は、照明器具に関し、特に木製のカバーでランプの周囲を囲むようにした照明器具に関するものである。
【０００２】
【従来の技術】
従来より、木の質感を生かして器具本体を木製のカバーで覆う構造の照明器具が提供されている。このような構造の照明器具として、図１１に示すようなものがある。この照明器具は壁面に取り付けられる所謂ブラケットタイプであって、白熱ランプ等のランプを着脱自在に装着するランプソケットを具備した器具本体（図示せず）と、器具本体を覆う木製のカバー７０とで構成される。
【０００３】
カバー７０は、木材によって矩形枠状に形成された上枠部７１及び下枠部７２と、木材により棒状に形成されて両枠部７１，７２の４つの頂点同士を連結する柱部７３と、隣り合う柱部７３間を塞ぐ板材７４とで角筒状に形成され、上枠部７１と下枠部７２の間並びに隣り合う柱部７３の間にそれぞれ一対の桟７５が互いに平行に橋架されるとともに、板材７４における一対の桟７５に挟まれた部位に溝７６を設けてなり、上枠部７１及び下枠部７２の開口と上記溝７６とを通してランプの光を外部に照射するものであった。
【０００４】
【発明が解決しようとする課題】
しかしながら、上記従来例においては、カバー７０を製造する際に桟７５の加工や組立に手間と時間がかかるという問題があった。特にカバー７０の強度を保つためには接着剤等を用いて桟７５を固定する必要があり、組立に一層手間と時間がかかっていた。
【０００５】
本発明は上記問題に鑑みて為されたものであり、その目的は、従来に比較してカバーの加工や組立を簡素化できる照明器具を提供することにある。
【０００６】
【課題を解決するための手段】
請求項１の発明は、上記目的を達成するために、ランプを着脱自在に装着するランプソケットを具備する器具本体と、木材によって形成され少なくともランプソケットに装着されたランプの周囲を囲むように器具本体に取り付けられるカバーとを備え、ランプと対向するカバーの内側表面に互いの長手方向を同一とした複数条の溝が形成され、カバーの外側表面に互いの長手方向を同一とし且つ内側表面の溝と平行でない複数条の溝が形成されるとともに、内側表面の溝と外側表面の溝が互いに交差する位置にカバーを内外に貫通する貫通孔が設けられたことを特徴とする。
【０００７】
請求項２の発明は、請求項１の発明において、カバーの貫通孔と連通する孔が設けられてランプとカバーの内側表面との間に介装される金属製の遮熱板を備えたことを特徴とする。
【０００８】
【発明の実施の形態】
（実施形態１）
図１〜図８を参照して本発明の実施形態１を詳細に説明する。
【０００９】
本実施形態の照明器具は、壁面に取り付けられて補助照明（間接照明）に利用される所謂ブラケットタイプのものであり、白熱ランプ等のランプを着脱自在に装着するランプソケット２を具備する器具本体１と、木材によって形成され少なくともランプソケット２に装着されたランプの周囲を囲むように器具本体１に取り付けられるカバー１０と、カバー１０の内側表面とランプとの間に介装される金属製の遮熱板２０と、器具本体１を壁面に取り付けるための取付板３０とを備える。
【００１０】
金属製の取付板３０は矩形平板状に形成され、略中央に壁から引き出された電源線を挿通する挿通孔３１が開口し、挿通孔３１の左右両側に器具本体１を取り付けるためのボルト３２が立設されている。また、取付板３０は木ねじ（図示せず）によって壁面に固定されるのであって、木ねじを挿通するねじ挿通孔３３が挿通孔３１を挟んで上下両端部に形成されている。
【００１１】
器具本体１は背面が開口する矩形箱状の合成樹脂成型品からなり、前面上部にランプソケット２が設けられている。また、器具本体１には取付板３０のボルト３２を挿通する一対の挿通孔３が前後方向に貫設されており、挿通孔３を通して前面に突出するボルト３２に袋ナットからなる取付ねじ４を螺合し締め付けることで取付板３０の前面に器具本体１が取り付けられる。さらに、器具本体１の背面側における左右両側の端部にはねじ挿通孔６ａを有する一対のボス６がそれぞれ設けられている。
【００１２】
図３及び図４に示すように、カバー１０は板状の木材をコ字型に組み立てて形成され、その内側表面には長手方向を鉛直方向とした複数条の溝１１が形成され、外側表面には長手方向を水平方向とした複数条の溝１２が形成されている。ここで、各溝１１，１２の深さはカバー１０の厚みの半分よりも小さくない寸法に設定されており、内側表面の溝１１と外側表面の溝１２が互いに交差する位置には各溝１１，１２を通してカバー１０を内外に貫通する矩形の貫通孔１３がそれぞれ形成されている。
【００１３】
遮熱板２０は金属板を略コ字型に折曲してなり、器具本体１に取り付けられたときにカバー１０の貫通孔１３とそれぞれ連通する複数の孔２１が各面に列設されている（図６参照）。また、遮熱板２０の両端部には略Ｆ字形の固定片２２が設けられ、この固定片２２が器具本体１に固定されて遮熱板２０が器具本体１に取り付けられる。
【００１４】
一方、カバー１０は一対の取付金具４０によって器具本体１に取り付けられる。取付金具４０は金属板を長手方向に沿ってほぼ直角に折り曲げてなり、遮熱板２０の固定片２２と略同形状及び同寸法の取付片４１と、カバー１０を取り付けるカバー取付片４２とを具備する。すなわち、遮熱板２０の固定片２２及び取付金具４０の取付片４１にはそれぞれ同じ位置にねじ挿通孔２２ａ，４１ａが設けられており、図５（ａ）に示すように遮熱板２０の固定片２２を後方から器具本体１の背面に当接し、木ねじからなる固定ねじ２３を取付金具４０の取付片４１のねじ挿通孔４１ａ並びに固定片２２のねじ挿通孔２２ａを通して器具本体１のボス６のねじ挿通孔６ａに挿通して締め付けることで遮熱板２０と取付金具４０が同時に器具本体１に取り付けられる。さらに、図５（ｂ）に示すようにカバー１０の両端部を器具本体１に取り付けた取付金具４０のカバー取付片４２に外側から当接させ、カバー取付片４２の両端部に設けられた一対のねじ挿通孔４２ａに木ねじからなる取付ねじ４３を内側から挿通し、カバー１０の両端部に取付ねじ４３を締め付けることで取付金具４０のカバー取付片４２にカバー１０が固定される。
【００１５】
上述のようにしてカバー１０及び遮熱板２０を器具本体１に取り付け、さらに壁面に固定された取付板３０に器具本体１を取り付けることで本実施形態の照明器具が壁面に配設される。そして、ランプソケット２に装着したランプ５０を点灯すると、カバー１０の上下の開口から外部に光が照射されるとともに、カバー１０に設けられた多数の貫通孔１３からも光が照射されることになり、従来にない美観を起こさせることができる。しかも、この貫通孔１３はカバー１０の内側及び外側の表面に互いに平行でない複数条の溝１１，１２を形成することで設けることができるから、桟７５を組み合わせていた従来例に比較してカバー１０の加工や組立を簡素化することができるという利点がある。
【００１６】
また、カバー１０を木製としたことでランプ５０の発する熱によってカバー１０が変形したり変色したりする虞があるが、図７に示すようにカバー１０の内側表面とランプ５０との間に遮熱板２０を介装しランプ５０の発する熱を遮熱板２０で遮ることによって、カバー１０の変形や変色等の不具合の発生を防止することができる。しかも、遮熱板２０でランプ５０の熱を遮っていることから、カバー１０とランプ５０との距離を縮めることができて照明器具の小型化が図れるという利点がある。なお、図７に示すように遮熱板２０とカバー１０との間には隙間を設けておくことが望ましい。
【００１７】
ところで、図８に示すようにカバー１０の片側（例えば外側）の表面だけに溝１２を設けた場合には厚みが薄くなる溝１２の部分で反りが発生しやすくなるが、本実施形態ではカバー１０の内側及び外側の両表面にそれぞれ溝１１，１２を形成しているため、上述のように片側の表面のみに溝を設ける場合に比較してカバー１０の反りを抑えることができて外観の品質向上が図れるものである。
【００１８】
（実施形態２）
実施形態１の照明器具では、カバー１０の上下の開口から照射される光の配光について特に考慮されておらず、例えば階段の近くに配設した場合に階上から階下を見下ろしたときや階下から階上を見上げたときに上記光が直接目に入ってしまう虞がある。そこで本実施形態においては、カバー１０の上下の開口に配光を制御するルーバを設けて上述のような場合に光が直接目に入るのを防止するようにしており、以下、図９及び図１０を参照して本実施形態を詳細に説明する。なお、本実施形態の基本的な構成は実施形態１と共通であるから、共通の構成要素には同一の符号を付して説明を省略する。
【００１９】
図１０に示すように、器具本体１は側面形状が略台形の合成樹脂成型品からなり、中央上部には軸方向を鉛直方向に対して傾けた状態でランプソケット２が取り付けられている。ここで、器具本体１の上端中央部にはランプソケット２の底面（上面）を覆う舌片５が突設されており、この舌片５でランプソケット２の底面を覆うことにより、カバー１０の上側の開口を通してランプソケット２が直接見え難い構造とし、さらにランプソケット２と電源線の接続部への埃などの異物の侵入を防いでいる。
【００２０】
ルーバ６０は合成樹脂製であって、図９に示すように矩形枠状の本体６１と、本体６１の対向する側片６１ａ間に架設された複数のルーバ片６２とを有し、取付金具４０の上下両端部に後端側を支点として回動自在に枢支される。ルーバ片６２は短冊形に形成され、側片６１ａの長手方向中央より前方と後方で互いに傾斜角度が異ならせてある（図９（ｂ）参照）。
【００２１】
而して、カバー１０の上下の開口にそれぞれルーバ６０を設けて配光を制御するようにしているから、上述のように階段の近くに配設した場合に階上から階下を見下ろしたときや階下から階上を見上げたときにカバー１０の上下の開口から照射される光が直接目に入り難くなり、眩しさを低減することができるものである。また、ルーバ６０は後端部を支点としてカバー１０に対して回動自在に枢支されているので、器具本体１からカバー１０や遮熱板２０を取り外さなくてもルーバ６０を開けてランプ５０を交換することが可能であり、ランプ５０の交換作業が容易に行えるという利点がある。
【００２２】
【発明の効果】
請求項１の発明は、ランプを着脱自在に装着するランプソケットを具備する器具本体と、木材によって形成され少なくともランプソケットに装着されたランプの周囲を囲むように器具本体に取り付けられるカバーとを備え、ランプと対向するカバーの内側表面に互いの長手方向を同一とした複数条の溝が形成され、カバーの外側表面に互いの長手方向を同一とし且つ内側表面の溝と平行でない複数条の溝が形成されるとともに、内側表面の溝と外側表面の溝が互いに交差する位置にカバーを内外に貫通する貫通孔が設けられたことを特徴とし、カバーに設けられた貫通孔を通してランプの発する光を外部に照射することができるが、この貫通孔はカバーの内側及び外側の表面に互いに平行でない複数条の溝を形成することで設けることができるから、桟を組み合わせていた従来例に比較してカバーの加工や組立を簡素化することができる。また、カバーの内側及び外側の両表面に溝を形成しているため、片側の表面のみに溝を設ける場合に比較してカバーの反りを抑えることができる。
【００２３】
請求項２の発明は、請求項１の発明において、カバーの貫通孔と連通する孔が設けられてランプとカバーの内側表面との間に介装される金属製の遮熱板を備えたことを特徴とし、ランプの発する熱を遮熱板で遮ることによってカバーの変形や変色等の不具合の発生を防止することができ、しかも、カバーとランプとの距離を縮めることができるから器具の小型化が図れる。
【図面の簡単な説明】
【図１】実施形態１を示す前方から見た分解斜視図である。
【図２】同上の後方から見た分解斜視図である。
【図３】同上におけるカバーの正面図である。
【図４】同上におけるカバーの斜視図である。
【図５】（ａ）（ｂ）は同上の組立手順を説明する斜視図である。
【図６】同上の正面図である。
【図７】同上を上方から見た模式図である。
【図８】同上の説明図である。
【図９】実施形態２を示し、（ａ）は正面から見た半断面図、（ｂ）は側面断面図、（ｃ）は上面図である。
【図１０】同上における器具本体を示し、（ａ）は正面図、（ｂ）は左側面図、（ｃ）は上面図である。
【図１１】従来例を示す斜視図である。
【符号の説明】
１　器具本体
２　ランプソケット
１０　カバー
１１　溝
１２　溝
１３　貫通孔
【図１】
2004022316.tif 000003
【図２】
2004022316.tif 000004
【図３】
2004022316.tif 000005
【図４】
2004022316.tif 000006
【図５】
2004022316.tif 000007
【図６】
2004022316.tif 000008
【図７】
2004022316.tif 000009
【図８】
2004022316.tif 000010
【図９】
2004022316.tif 000011
【図１０】
2004022316.tif 000012
【図１１】
2004022316.tif 000013